(57)【要約】【課題】原稿の両面を実質的に同時に判定処理する特定原稿判定部の構成を簡単にし、特定原稿の判定処理時間を短縮する。【解決手段】第１の読取り部１９は原稿の第１面の画像を読取り、第１のカラー画像データを提供する。第１の色変換部４３は前記第１のカラー画像データを所定の色空間における画像データに規格化し、第１の規格化画像データを提供する。第２の読取り部２７は前記原稿の第２面の画像を読取り、第２のカラー画像データを提供する。第２の色変換部４９は前記第２のカラー画像データを前記所定の色空間における画像データに規格化し、第２の規格化画像データを提供する。辞書５４ａは特定原稿の画像データを格納する。特定原稿判定部５３ａは前記第１及び第２の規格化画像データが、前記特定原稿の画像データに対応するか判定する。【選択図】    図３
2005026880.tif 000002
【特許請求の範囲】
【請求項１】
原稿の第１面の画像を読取り、第１のカラー画像データを提供する第１の読取り手段と、
前記第１のカラー画像データを所定の色空間における画像データに規格化し、第１の規格化画像データを提供する第１の規格化手段と、
前記原稿の第２面の画像を読取り、第２のカラー画像データを提供する第２の読取り手段と、
前記第２のカラー画像データを前記所定の色空間における画像データに規格化し、第２の規格化画像データを提供する第２の規格化手段と、
特定原稿の画像データを格納する特定原稿画像格納手段と、
前記第１及び第２の規格化画像データが、前記特定原稿の画像データに対応するか判定し、判定結果を提供する特定原稿判定手段と、
を具備することを特徴とする画像読取り装置。
【請求項２】
前記第１及び第２の規格化画像データをそれぞれ主走査方向に縮小し、第１及び第２の縮小画像データを提供する縮小手段と、前記第１及び第２の縮小画像データを主走査方向に連結する連結手段とを更に具備し、前記特定原稿画像格納手段は前記特定原稿の縮小画像データを格納し、前記特定原稿判定手段は前記連結手段により連結された前記第１及び第２の縮小画像データにについて前記特定原稿の判定を行うことを特徴とする請求項１記載の画像読取り装置。
【請求項３】
前記第１及び第２の読取り手段の原稿読取り位置間の距離に対応する、前記第１及び第２の規格化画像データにおける時間的ずれを補正するためのデータバッファと、前記データバッファにより補正された前記第１及び第２の規格化画像データを主走査方向に連結する連結手段を更に具備し、前記特定原稿判定手段は前記連結手段により連結された前記第１及び第２の規格化画像データについて前記特定原稿の判定を行うことを特徴とする請求項１記載の画像読取り装置。
【請求項４】
原稿の第１面の画像を読取り、第１のカラー画像データを提供する第１の読取り手段と、
前記第１のカラー画像データを所定の色空間における画像データに規格化し、第１の規格化画像データを提供する第１の規格化手段と、
前記原稿の第２面の画像を読取り、第２のカラー画像データを提供する第２の読取り手段と、
前記第２のカラー画像データを前記所定の色空間における画像データに規格化し、第２の規格化画像データを提供する第２の規格化手段と、
特定原稿の画像データを格納する特定原稿画像格納手段と、
前記第１及び第２の規格化画像データが、前記特定原稿の画像データに対応するか判定し、判定結果を提供する特定原稿判定手段と、
前記第１及び第２の規格化画像データに対応する画像を用紙上に形成する画像形成手段と、
を具備することを特徴とする画像形成装置。
【請求項５】
前記第１及び第２の規格化画像データをそれぞれ主走査方向に縮小し、第１及び第２の縮小画像データを提供する縮小手段と、前記第１及び第２の縮小画像データを主走査方向に連結する連結手段とを更に具備し、前記特定原稿画像格納手段は前記特定原稿の縮小画像データを格納し、前記特定原稿判定手段は前記連結手段により連結された前記第１及び第２の縮小画像データについて前記特定原稿の判定を行うことを特徴とする請求項４記載の画像形成装置。
【請求項６】
前記第１及び第２の読取り手段の原稿読取り位置間の距離に対応する、前記第１及び第２の規格化画像データにおける時間的ずれを補正するためのデータバッファと、前記データバッファにより補正された前記第１及び第２の規格化画像データを主走査方向に連結する連結手段とを更に具備し、前記特定原稿判定手段は前記連結手段により連結された前記第１及び第２の規格化画像データについて前記特定原稿の判定を行うことを特徴とする請求項４記載の画像形成装置。
【発明の詳細な説明】
【０００１】
【発明の属する技術分野】
本発明は、原稿の両面同時読取機能を有し、紙幣や有価証券等の特定原稿を検知する画像形成装置に関する。
【０００２】
【従来の技術】
両面同時読取機能を有する画像形成装置では、原稿の表面と裏面の画像処理部がそれぞれ独立しているため、紙幣や有価証券等の特定原稿を検知するためには、表面と裏面それぞれ独立して特定原稿の判定をする必要がある。従って、特定原稿を判定するための辞書データ（特定原稿の参照画像データ）もそれぞれ別々に準備していた。このような画像形成装置の場合、両面をほぼ同時に読取るため、高価な特定原稿判別部が、表面用と裏面用にそれぞれ１個ずつ、計２個必要であった。特定原稿判定部にて参照される辞書データは、例えば１種類の通貨においても、紙幣の額面価格の種類及び表裏に対応して様々の画像データを含む必要がある。
【０００３】
【発明が解決しようとする課題】
両面同時読取を行う場合の原稿読取素子としては、通常、表面用はＣＣＤ（Ｃｈａｒｇｅ  Ｃｏｕｐｌｅｄ  Ｄｅｖｉｃｅ）を使用するが、裏面用は自動原稿送り装置に取り付けられるためＣＩＳ（Ｃｏｎｔａｃｔ  Ｉｍａｇｅ  Ｓｅｎｓｏｒ）が使用される。従って、ＲＧＢ画像のカラーバランスや色調（明度、彩度、色相）等の色空間が、読取った表裏の画像において異なるため、特定原稿を判別するための辞書データも、表面用と裏面用にそれぞれ１種類ずつ、計２種類必要であった。
【０００４】
原稿の表面と裏面に全く同じ読取り素子を用いたとしても、表面と裏面で使用される露光ランプの特性や光学系の差異により、表面と裏面の読取られた色空間は同じになることはない。従って、このような場合も、特定原稿を判別するための辞書データは表面用と裏面用にそれぞれ１種類ずつ、計２種類必要であった。
【０００５】
さらに、特定原稿判定部が自身で特定原稿を判定するための辞書データを持たずに、当該画像形成装置の使用時にプログラムドＲＯＭや専用ＲＯＭに納められている辞書データを特定原稿判定部にダウンロード（インストール）して使用する様な構成の場合、該プログラムのバグ等により、表面用と裏面用の辞書データを間違ってダウンロードしてしまうと、特定原稿判定部が機能しないという不具合もあった。
【０００６】
本発明は、両面を実質的に同時に判定処理する特定原稿判定部の構成を簡単にし、特定原稿の判定処理時間を短縮することを目的とする。
【０００７】
【課題を解決するための手段】
上記目的は原稿の両面について共通の辞書データを用いる１つの特定原稿判定部により特定原稿を判定することにより実現される。
【０００８】
本発明の一実施形態に係る画像読取り装置は、原稿の第１面の画像を読取り、第１のカラー画像データを提供する第１の読取り部と、前記第１のカラー画像データを所定の色空間における画像データに規格化し、第１の規格化画像データを提供する第１の規格化部と、前記原稿の第２面の画像を読取り、第２のカラー画像データを提供する第２の読取り部と、前記第２のカラー画像データを前記所定の色空間における画像データに規格化し、第２の規格化画像データを提供する第２の規格化部と、特定原稿の画像データを格納する特定原稿画像格納部と、前記第１及び第２の規格化画像データが、前記特定原稿の画像データに対応するか判定し、判定結果を提供する特定原稿判定部とを具備する。
【０００９】
【発明の実施の形態】
以下、図面を参照してこの発明の実施形態に係る画像形成装置を説明する。
【００１０】
図１は本発明が適用されるカラーデジタル複写装置（画像形成装置）１の構造例を示す図である。
【００１１】
この複写装置１は、原稿上のカラー画像を読取り、カラー画像信号を提供するカラースキャナ部２と、入力されたカラー画像信号に対応する複製画像を形成するカラープリンタ部３から構成されている。
【００１２】
先ずスキャナ部２について説明する。
【００１３】
装置本体１０の上面には、原稿が載置される透明なガラスからなる原稿載置台１２と、この原稿載置台１２上に原稿を自動的に送るＡＤＦ１７とが配設されている。このＡＤＦ１７は原稿が原稿台１２上に配置された場合の原稿カバーを兼ねている。装置本体１０の上面前部には、コピー条件並びにコピー開始を指示するための各種操作キー及び各種表示器等を備えた操作パネル（図示しない）が設けられている。
【００１４】
ＡＤＦ１７は、原稿Ｄがセットされる原稿トレイ８と、原稿の有無を検出するエンプティセンサ９と、原稿トレイ８から原稿Ｄを一枚ずつ取り出すピックアップローラ１４と、取り出された原稿Ｄを搬送する給紙ローラ１５ａ、１５ｂ、１５ｃと、原稿Ｄの先端を整位するアライニングローラ対１６と、原稿画像を読取るＣＩＳ２７を含んでいる。
【００１５】
原稿トレイ８に上向きにセットされた複数枚の原稿は、例えば最下の頁、つまり最終頁から順にピックアップローラ１４により取り出され、給紙ローラ１５ａ及びアライニングローラ対１６により整位された後、給紙ローラ１５ｂ、１５ｃにより第１の読取位置ＲＰ１を通過した後、第２の読取り位置ＲＰを通過して  原稿排紙部２４上に排出される。
【００１６】
上記移動中、各原稿は先ず第１の読取り位置ＲＰ１において、キセノンランプからなる第１の照明ランプ１１により第１面（表面）が照明され、その反射光が第１ミラー１３、第２ミラー２８、第３ミラー２９、及びレンズ１８を経て、ＣＣＤ１９に入射し、第１面の画像が読み取られる。次いで各原稿は、その第１の読取り位置ＲＰ１より下流の第２の読取り位置ＲＰ２に配置されたＣＩＳ２７により、第１面の反対側の第２面（裏面）の画像が読取られる。ＣＩＳ２７はＬＥＤアレイ（図示せず）により発生され原稿を反射した光を受光することにより原稿画像を読取る。ＣＣＤ１９及びＣＩＳ２７により読取られた原稿画像信号は電子回路２０において画像処理された後、プリンタ部３に送信される。
【００１７】
次にプリンタ部３について説明する。
【００１８】
プリンタ部３は４連タンデム方式の電子写真プロセス構造を有している。この４連タンデム方式の電子写真プロセス部は、Ｙ（イエロー）、Ｍ（マジェンダ）、Ｃ（シアン）、Ｋ（ブラック）の４色に各々対応したプロセスユニット４Ｙ、４Ｍ、４Ｃ、４Ｋを水平方向に４基配置したものである。各プロセスユニットは感光体ドラム（以下感光体という）２１、帯電器２２、現像器２３、クリーニング装置２４、除電装置２５、転写装置２６を含む。これらプロセスユニットを構成する各部の参照番号にはプロセスユニットを識別するための添え字Ｙ、Ｍ、Ｃ、Ｋが付加されている。各プロセスユニットの動作は同様であるから、各色の画像形成動作は１つのプロセスユニットに関して説明する。
【００１９】
帯電器２２のグリッドには帯電グリッドバイアス電圧が印加され、感光体２１の表面がこの電圧に対応して帯電される。現像器２３内に設けられたマグネットローラには現像バイアス電圧が印加され、トナーがこの現像バイアス電圧により帯電される。露光器５はスキャナ部２あるいは外部ホスト装置（図示されず）から送信された画像信号に対応するレーザビームを感光体２１に照射し、感光体表面の照射部電位が低下する。この低電位領域が静電潜像を構成する。現像バイアスに対して感光体表面の低電位領域にトナーが付着する。
【００２０】
給紙カセット９ａ又は９ｂから給紙された用紙Ｐは搬送路５６上を搬送され、転写器２６と感光体２１の間を通るときにトナーが用紙に転写される。感光体２１上に残留するトナーはクリーニング装置２４により除去され、残留する電荷は除電器２５により除去される。
【００２１】
転写ベルト６は被画像形成媒体である用紙Ｐを搬送し、各プロセスユニット４Ｙ、４Ｍ、４Ｃおよび４Ｋの感光体２１上に形成された画像は、用紙Ｐ上に順に重ね合ねられる。定着装置７は転写ベルト６により搬送された用紙Ｐおよび用紙Ｐ上の画像（現像剤像）を加熱しながら加圧することで、用紙Ｐに現像剤像を定着する。現像剤像が定着された用紙Ｐは排紙ローラ５７により排紙される。
【００２２】
次に、カラー画像形成装置１の制御回路の概略構成を図２を用いて説明する。
【００２３】
制御回路には、装置全体を総合的に制御する制御部としてのＣＰＵ３１が設けられている。このＣＰＵ３１には、制御プログラムが格納されているＲＯＭ３２、上記カラー画像形成装置１の複写動作を制御する複写制御回路３３、及び画像処理部３４がバス３５を介して接続されている。
【００２４】
上記複写制御回路３３には、上記スキャナ部２の各部を駆動する読取機構部３６、ユーザインターフェースを行う操作パネル３７、プリンタ部３の各部を駆動する画像形成機構部３８が接続されている。
【００２５】
画像処理部３４はＣＣＤ１９及び／又はＣＩＳ２７からの画像信号に対して、Ａ／Ｄ変換、色変換等の各種画像処理を行う。画像処理部３４により処理された画像は、プリンタ部３の露光部５へ送信された後、前述したように用紙に印刷される。
【００２６】
図３は本実施例に係る画像処理部３４の概要構成を示すブロック図であ。
【００２７】
原稿表面用の第１の読取り素子（ＣＣＤ）１９で読取られた赤（ｒ’ｆ  ）、緑（ｇ’ｆ  ）、青（ｂ’ｆ  ）の画像信号は、ＡＤ変換部４１でアナログ信号からデジタル信号に変換され、前処理部４２でシェーディング補正、各色画像信号間の位置補正等が行われる。前処理部４２にて処理された赤（Ｒ’ｆ  ）、緑（Ｇ’ｆ  ）、青（Ｂ’ｆ  ）のデジタル画像信号は、色変換処理部４３に入力され、色空間を規格化するために、赤（Ｒ’ｆ  ）、緑（Ｇ’ｆ  ）、青（Ｂ’ｆ  ）から赤（Ｒｆ  ）、緑（Ｇｆ  ）、青（Ｂｆ  ）へ変換される。つまり画像信号は、Ｒ’、Ｇ’、Ｂ’の色空間における値から、Ｒ、Ｇ、Ｂの色空間における値に変換される。
【００２８】
色変換部４３における演算式は以下で表すことが出来る。
【００２９】
【数１】
2005026880.tif 000003
【００３０】
一方、原稿裏面用の第２の読取り素子ＣＩＳ２７で読取られた赤（ｒ”ｂ  ）、緑（ｇ”ｂ  ）、青（ｂ”ｂ  ）の画像信号は、ＡＤ変換部４７でアナログ信号からデジタル信号に変換され、前処理部４８でシェーディング補正、各色画像信号間の位置補正等が行われる。前処理部４８にて処理された赤（Ｒ”ｂ  ）、緑（Ｇ”ｂ  ）、青（Ｂ”ｂ  ）のデジタル画像信号は、色変換処理部４９に入力され、赤（Ｒ”ｂ  ）、緑（Ｇ”ｂ  ）、青（Ｂ”ｂ  ）から赤（Ｒｂ  ）、緑（Ｇｂ  ）、青（Ｂｂ  ）へと色空間が規格化される。つまり画像信号は、Ｒ”、Ｇ”、Ｂ”の色空間における値から、上記同様にＲ、Ｇ、Ｂの色空間における値に変換される。
【００３１】
色変換部４９における演算式は以下で表すことが出来る。
【００３２】
【数２】
2005026880.tif 000004
【００３３】
上記規格化により、もし同一画像を第１及び第２の読取素子１９、２７により読取ると、色変換部４３、４９からは同一画像データが出力される。言い換えると、同一画像を第１及び第２の読取素子１９、２７により読取った場合に、第１及び第２の色変換部４３、４９から同一画像データが出力されるように、上記式１及び２における項Ａ１１〜Ａ３４及びＢ１１〜Ｂ３４が決定される。
【００３４】
色空間が規格化された原稿表面の画像データ、赤（Ｒｆ  ）、緑（Ｇｆ  ）、青（Ｂｆ  ）と裏面の画像データ、赤（Ｒｂ  ）、緑（Ｇｂ  ）、青（Ｂｂ  ）は、それぞれ後処理部４６、５５に入力されると同時に、それぞれ主走査縮小部４４、５０に入力される。後処理部４６、５５により処理された画像データＲＦ，ＧＦ，ＢＦ及びＲＢ、ＧＢ、ＢＢはＣ（シアン）、Ｍ（マジェンダ）、Ｙ（イエロー）、Ｋ（ブラック）の画像データに変換された後、プリンタ部３に送信され、用紙上にカラー画像が形成される。
【００３５】
主走査縮小部４４、５０に入力された画像データは、図４Ａのように主走査方向に５０％画像に縮小され、ラインバッファ４５ａ、５１ａを経由して主走査連結部５２ａに入力される。主走査連結部５２ａにて、縮小された各画像データは図４Ｂのように連結される。尚、両面同時読取装置における原稿画像の読出し位置は通常、図５Ａの様に、副走査方向の読出し位置（読出しタイミング）が異なっている。従って表面及び裏面の画像データは、図５Ｂのようにラインバッファ４５ａ、５１ａで副走査方向読出し位置が揃えられる。図５Ａは原稿の表面の読出しが裏面の読出しより先行して行われる場合を図示している。
【００３６】
図３のブロック図では、原稿の表面用、裏面用ともにラインバッファを有している。しかし、このように表面が裏面より先行して読出される場合は裏面用ラインバッファ５１ａは無くてもよい。一方、裏面が表面より先行して読出される場合は表面用ラインバッファ４５ａは無くてもよい。
【００３７】
更に、特定原稿判定部５３ａが、図５Ａの様に読出し位置が異なる表面と裏面の５０％縮小データをそのまま（時間的にずれた状態で）処理出来る場合は、前述の表面用のラインバッファ４５ａと裏面用のラインバッファ５１ａともに無くてもよい。
【００３８】
主走査連結部５２ａからは、図５Ｂのように主走査方向に連結された、赤（Ｒｆｂ）、緑（Ｇｆｂ）、青（Ｂｆｂ）の画像データが出力され、該画像データは特定原稿判定部５３ａに入力される。特定原稿判定部５３ａに入力される画像データは、図４Ｂに示す様に、両面（２ページ）分が１ページに納まった画像データである。
【００３９】
尚、特定原稿判定部５３ａには、特定原稿（紙幣等）を判別するための辞書データが必要になる。本実施例においてこの辞書データは、紙幣等の原画像データを予め主走査方向に５０％縮小した画像である。特定原稿判定部５３ａは入力画像データＲｆｂ，Ｇｆｂ，Ｂｆｂと辞書５４ａに格納された辞書データの間のパターンマッチング及び互いに対応する位置にある画素の画素値の比較等の処理により特定原稿を判別する。
【００４０】
特定原稿判定部５３ａから出力される特定原稿検知信号ＳＯＤは、通常は「Ｌ」レベルであるが、読取った原稿が表面又は裏面で特定原稿であると判定すると、特定原稿判定部５３ａは、特定原稿検知信号ＳＯＤとして「Ｈ」レベルの信号を出力する。特定原稿検知信号ＳＯＤの「Ｈ」レベルはＣＰＵ３１に通知される。  尚、特定原稿判定部５３ａは、規格化画像データＲｆｂ，Ｇｆｂ，Ｂｆｂが、少なくとも部分的に辞書データに一致した場合、前記規格化画像データは特定原稿の画像データに対応すると判定する。
【００４１】
ＣＰＵ３１は特定原稿検知信号ＳＯＤの「Ｈ」レベルに応答して、読取った原稿画像の印刷を中止し、例えば読取った画像データを特定原稿とは異なる所定のパターンデータに変換するとともに、操作パネル３７の表示部（図示されず）に、読取中の原稿が特定原稿と判定され、通常のコピーが不可能であったことを表示する。
【００４２】
以上のように本実施例によれば、原稿の表面と裏面の主走査画像データを連結することで、両面同時読取においても１個の特定原稿判別手段で特定原稿を検知することが可能となる。
【００４３】
又、表面と裏面で読取られた色空間を同じ色空間に統一することで、特定原稿判別に必要な辞書が１種類で済むため、特定原稿判定部における判別処理が２種類の辞書を持った場合の半分の時間に短縮される。
【００４４】
装置使用時に辞書を特定原稿判定部にダウンロードする必要がある装置で本実施例を実施する場合、元々、辞書データは１種類しかないため、特定原稿判定部にダウンロードする辞書データの種類を間違えることがない。このように、辞書が１種類のため、辞書の開発工数を１／２に削減することが可能となる。
【００４５】
更に、表面と裏面を同時に１個の特定原稿判定部を用いて判別するため、例えば、表面しか特定原稿と判別出来ない様な原稿でも、裏面も特定原稿と判別することが可能となる。
【００４６】
次に本発明の第２実施例を説明する。
【００４７】
図６は本実施例に係る画像処理部３４の概略構成を示すブロック図であり、第１の実施例と同様、原稿表面の読取り素子としてＣＣＤを、裏面の読取り素子としてＣＩＳを使用している。
【００４８】
原稿表面用の第１の読取り素子（ＣＣＤ）１９で読取られた赤（ｒ’ｆ  ）、緑（ｇ’ｆ  ）、青（ｂ’ｆ  ）の画像信号は、ＡＤ変換部４１でアナログ信号からデジタル信号に変換され、前処理部４２でシェーディング補正、各色画像信号間の位置補正等が行われる。前処理部４２にて処理された赤（Ｒ’ｆ  ）、緑（Ｇ’ｆ  ）、青（Ｂ’ｆ  ）の画像データは、色変換処理部４３に入力され、前述のように赤（Ｒ’ｆ  ）、緑（Ｇ’ｆ  ）、青（Ｂ’ｆ  ）から赤（Ｒｆ  ）、緑（Ｇｆ  ）、青（Ｂｆ  ）へと色空間が規格化される。色変換部４３における演算式は、上記第１の実施例と同様に、式１で表すことが出来る。
【００４９】
一方、原稿裏面用の読取り素子（ＣＩＳ）２７にて読取られた赤（ｒ”ｂ  ）、緑（ｇ”ｂ  ）、青（ｂ”ｂ  ）の画像データは、ＡＤ変換部４７でアナログ信号からデジタル信号に変換され、前処理部４８にて前述したように処理される。処理された赤（Ｒ”ｂ  ）、緑（Ｇ”ｂ  ）、青（Ｂ”ｂ  ）の画像データは、色空間を規格化するために色変換処理部４９にて、赤（Ｒｂ  ）、緑（Ｇｂ  ）、青（Ｂｂ  ）の画像データに変換される。色変換部４９における演算式は、第１実施例と同様に、式２で表すことが出来る。
【００５０】
色空間が規格化された原稿表面の画像データ、赤（Ｒｆ  ）、緑（Ｇｆ  ）、青（Ｂｆ  ）と裏面の画像データ、赤（Ｒｂ  ）、緑（Ｇｂ  ）、青（Ｂｂ  ）はそれぞれ後処理部４６、５５に入力されると同時に、ラインバッファを経由して主走査連結部５２ｂに入力される。主走査連結部５２ｂで表面及び裏面の画像データは図７のように主走査方向に連結される。
【００５１】
スキャナ部２のような両面同時読取装置における原稿画像の読出し位置は、通常、図８Ａの様に副走査方向にずれているため、ラインバッファ４５ｂ，５１ｂにて図８Ｂのように表面と裏面の副走査読出し位置が揃えられる。この例では、表面の読出しが裏面の読出しより先行して行われる場合を図示している。
【００５２】
図６の実施例のブロック図では、第１実施例と同様に、表面用、裏面用ともにラインバッファを有しているが、表面が裏面より先行して読出される場合は裏面のラインバッファは無くてもよい。一方、裏面が表面より先行して読出される場合は表面のラインバッファは無くてもよい。
【００５３】
又、特定原稿判定部５３ｂが、図８Ａの様に表面と裏面の読出し位置が異なるデータをそのまま処理出来る場合は、前述の表面用のラインバッファ４５ｂと裏面用のラインバッファ５１ｂともに無くてもよい。
【００５４】
主走査連結部５２ｂからは、主走査方向に連結された、赤（Ｒｆｂ）、緑（Ｇｆｂ）、青（Ｂｆｂ）の画像データが出力され、特定原稿判定部５３ｂに入力される。特定原稿判定部５３ｂに入力される画像データは、図７で示す様に、両面の主走査方向データが連結された画像データである。
【００５５】
尚、特定原稿判定部５３ｂに入力される画像データは、表面と裏面の画像データが連結されデータ量が２倍になるため、特定原稿判定部５３ｂの処理クロックは周辺処理部の処理クロックに対して２倍以上の高レートクロックが用いられる。
【００５６】
特定原稿判定部５３ｂから出力される特定原稿検知信号ＳＯＤは、通常は「Ｌ」レベル信号であるが、表面、又は裏面で読取った原稿が特定原稿であると判別すると、特定原稿判定部は、特定原稿検知信号ＳＯＤとして「Ｈ」レベル信号を出力する。
【００５７】
第２実施例においても、後段の処理部では、この特定原稿検知信号を利用して、特定原稿検知時には機器の動作を停止したり、読取った画像に対して通常とは異なる画像処理を施したりして、読取られた特定原稿の画像が悪用されない様にすることが可能となる。
【００５８】
尚、第１及び第２の実施例では、表面と裏面で読取られたＲＧＢ空間をそれぞれ規格化されたＲＧＢ色空間に変換し、表面と裏面の色空間を同じ色空間に変換している。しかし、色空間の変換は、特定原稿判定部が許容する色空間であれば、ＣＭＹ、ＣＭＹＫ、ＹＩＱ、ＹＵＶ、Ｌ＊  ａ＊  ｂ＊  等、ＲＧＢでなくても良い。
【００５９】
更に、第１及び第２の実施例では、表面用の読取り素子にＣＣＤを、裏面の読取り素子にＣＩＳをそれぞれ使用しているが、表面と裏面で使用する読取り素子は逆の構成でも、両面ともＣＣＤ又はＣＩＳの構成でも構わない。
【００６０】
【発明の効果】
以上説明したように本発明によれば、原稿の両面を実質的に同時に判定処理する特定原稿判定部の構成が簡単になり、特定原稿の判定処理時間が短縮される。
【図面の簡単な説明】
【図１】本発明が適用されるカラーデジタル複写装置の構造例を示す図である。
【図２】図１のカラーデジタル複写装置の制御回路の概略構成を示す図である。
【図３】本発明の第１実施例に係る画像処理部の構成を示すブロック図であ。
【図４】画像データの縮小及び連結の様子を示す図である。
【図５】ラインバッファにより画像データの副走査読出し位置が揃えられる様子を示す図である。
【図６】本発明の第２実施例に係る画像処理部３４の構成を示すブロック図である。
【図７】画像データの連結の様子を示す図である。
【図８】ラインバッファにより画像データの副走査読出し位置が揃えられる様子を示す図である。
【図１】
2005026880.tif 000005
【図２】
2005026880.tif 000006
【図３】
2005026880.tif 000007
【図４】
2005026880.tif 000008
【図５】
2005026880.tif 000009
【図６】
2005026880.tif 000010
【図７】
2005026880.tif 000011
【図８】
2005026880.tif 000012